(57)【要約】【課題】単一のＬＥＤチップを用いて白色光が放射できる発光装置を提供する。【解決手段】発光装置は、青色光を放射するＬＥＤチップ１０と、ＬＥＤチップ１０が実装された実装基板２０と、実装基板２０におけるＬＥＤチップ１０の実装面側でＬＥＤチップ１０を囲む枠体４０と、枠体４０の内側に透明樹脂材料を充填して形成されてＬＥＤチップ１０およびＬＥＤチップ１０に接続されたボンディングワイヤ１４，１４を封止し且つ弾性を有する封止部５０と、ＬＥＤチップ１０から放射された光によって励起されてブロードな黄色光を放射する黄色蛍光体（ＹＡＧ）を透明材料とともに成形した成形品であるドーム状の色変換部材７０とを備える。【選択図】        図１
2007088085.tif 000002
【特許請求の範囲】
【請求項１】
青色光を放射するＬＥＤチップと、ＬＥＤチップが実装された実装基板と、実装基板におけるＬＥＤチップの実装面側でＬＥＤチップを囲む透明樹脂材料からなる枠体と、枠体の内側に透明樹脂材料を充填して形成されＬＥＤチップ及び当該ＬＥＤチップに接続されたボンディングワイヤを封止する封止部と、封止部に重ねて配置されるレンズと、ＬＥＤチップから放射された光によって励起されて黄色光を放射する黄色蛍光体を透明樹脂材料とともに成形した成形品であってレンズの光出射面側にレンズを覆い光出射面および枠体との間に空気層が形成される形で配設されるドーム状の色変換部材とを備え、前記黄色蛍光体は、イットリウム・アルミニウム・ガーネット蛍光体（ＹＡＧ）からなることを特徴とする発光装置。
【発明の詳細な説明】
【技術分野】
【０００１】
本発明は、ＬＥＤチップ（発光ダイオードチップ）を利用した発光装置に関するものである。
【背景技術】
【０００２】
従来、白色光を放射する発光装置として、互いに発光色が異なる複数のＬＥＤチップを用いたものがあった（例えば、特許文献１参照）。
【特許文献１】特開２０００−３４０８４０号公報
【発明の開示】
【発明が解決しようとする課題】
【０００３】
しかしながら、上記従来例のように複数のＬＥＤチップを使用した場合、各ＬＥＤチップが発する熱を効率的に放熱するための構造が複雑になり、小型化やコストダウンが困難であった。
【０００４】
本発明は上記事情に鑑みて為されたものであり、単一のＬＥＤチップを用いて白色光が放射できる発光装置を提供することにある。
【課題を解決するための手段】
【０００５】
本発明は、上記目的を達成するために、青色光を放射するＬＥＤチップと、ＬＥＤチップが実装された実装基板と、実装基板におけるＬＥＤチップの実装面側でＬＥＤチップを囲む透明樹脂材料からなる枠体と、枠体の内側に透明樹脂材料を充填して形成されＬＥＤチップ及び当該ＬＥＤチップに接続されたボンディングワイヤを封止する封止部と、封止部に重ねて配置されるレンズと、ＬＥＤチップから放射された光によって励起されて黄色光を放射する黄色蛍光体を透明樹脂材料とともに成形した成形品であってレンズの光出射面側にレンズを覆い光出射面および枠体との間に空気層が形成される形で配設されるドーム状の色変換部材とを備え、前記黄色蛍光体は、イットリウム・アルミニウム・ガーネット蛍光体（ＹＡＧ）からなることを特徴とする。
【発明の効果】
【０００６】
本発明によれば、ＬＥＤチップの青色光と色変換部材で変換された黄色光との混色によって白色光が得られるから、青色光を放射する単一のＬＥＤチップを用いて白色光が放射でき、しかも、黄色蛍光体としてイットリウム・アルミニウム・ガーネット蛍光体（ＹＡＧ）を用いることで発光効率のよい発光装置が提供できる。
【発明を実施するための最良の形態】
【０００７】
以下、図面を参照して本発明の実施形態を詳細に説明する。なお、図１は本実施形態の発光装置の断面図、図２は分解斜視図、図３は平面図をそれぞれ示している。
【０００８】
本実施形態の発光装置は、ＬＥＤチップ１０と、ＬＥＤチップ１０が実装された実装基板２０と、実装基板２０におけるＬＥＤチップ１０の実装面側でＬＥＤチップ１０を囲む枠体４０と、枠体４０の内側に透明樹脂材料を充填して形成されてＬＥＤチップ１０およびＬＥＤチップ１０に接続されたボンディングワイヤ１４，１４を封止し且つ弾性を有する封止部５０と、封止部５０に重ねて配置されるレンズ６０と、ＬＥＤチップ１０から放射された光によって励起されてＬＥＤチップ１０の発光色とは異なる色の光を放射する蛍光体を透明材料とともに成形した成形品であってレンズ６０の光出射面６０ｂ側にレンズ６０を覆い光出射面６０ｂおよび枠体４０との間に空気層８０が形成される形で配設されるドーム状の色変換部材７０とを備えている。
【０００９】
実装基板２０は、扁平な略矩形板状の金属板２１と、金属板２１の表面（図１，２における上面）に接合された略矩形平板状の絶縁部材２２とを具備する。絶縁部材２２は、例えば、難燃性のガラス布基材エポキシ樹脂を使い、一般的な耐熱性を備えた銅張り積層板（いわゆるＦＲ−４基板）からなり、表面に対となるリードパターン２３，２３が形成されるとともに、中央には厚み方向に貫通する略矩形の窓孔２４が設けられている。金属板２１は、熱伝導率が比較的高い金属材料（ＣｕやＡｌなど）によって絶縁部材２２よりも十分に厚みの大きい略矩形平板状に形成されている。ここで、絶縁部材２２の窓孔２４内において、後述するサブマウント部材３０が金属板２１に接合されており、ＬＥＤチップ１０で発生した熱がサブマウント部材３０を介して金属板２１に伝熱されるようになっている。なお、金属板２１と絶縁部材２２とは、絶縁性を有するシート状の接着フィルムからなる固着材２５により固着されている。また、各リードパターン２３は、色変換部材７０により覆われていない部位がアウターリード部２３ｂとなっている。
【００１０】
ＬＥＤチップ１０は、青色光を放射するＧａＮ系青色ＬＥＤチップであり、結晶成長用基板としてサファイア基板に比べて格子定数や結晶構造がＧａＮに近く且つ導電性を有するｎ形のＳｉＣ基板からなる導電性基板１１を用いており、導電性基板１１の主表面側にＧａＮ系化合物半導体材料により形成されて例えばダブルへテロ構造を有する積層構造部からなる発光部１２がエピタキシャル成長法（例えば、ＭＯＶＰＥ法など）により成長され、導電性基板１１の裏面に図示しないカソード側の電極であるカソード電極（ｎ電極）が形成され、発光部１２の表面（導電性基板１１の主表面側の最表面）に図示しないアノード側の電極であるアノード電極（ｐ電極）が形成されている。要するに、ＬＥＤチップ１０は、一表面側にアノード電極が形成されるとともに他表面側にカソード電極が形成されている。上記カソード電極および上記アノード電極は、Ｎｉ膜とＡｕ膜との積層膜により構成してあるが、上記カソード電極および上記アノード電極の材料は特に限定するものではなく、良好なオーミック特性が得られる材料であればよく、例えば、Ａｌなどを採用してもよい。なお、本実施形態では、ＬＥＤチップ１０の発光部１２が導電性基板１１よりも金属板２１から離れた側となるように金属板２１に実装されているが、ＬＥＤチップ１０の発光部１２が導電性基板１１よりも金属板２１に近い側となるように金属板２１に実装するようにしてもよい。光取り出し効率を考えた場合には、発光部１２を金属板２１から離れた側に配置することが望ましいが、本実施形態では導電性基板１１と発光部１２とが同程度の屈折率を有しているので、発光部１２を金属板２１に近い側に配置しても光の取り出し損失が大きくなりすぎることはない。
【００１１】
また、ＬＥＤチップ１０は、上述の金属板２１に、ＬＥＤチップ１０のチップサイズよりも大きなサイズの矩形板状に形成されＬＥＤチップ１０と金属板２１との線膨張率の差に起因してＬＥＤチップ１０に働く応力を緩和するサブマウント部材３０を介して実装されている。サブマウント部材３０は、上記応力を緩和する機能だけでなく、ＬＥＤチップ１０で発生した熱を金属板２１においてＬＥＤチップ１０のチップサイズよりも広い範囲に伝熱させる熱伝導機能を有している。本実施形態では、サブマウント部材３０の材料として熱伝導率が比較的高く且つ絶縁性を有するＡｌＮを採用しており、ＬＥＤチップ１０は、上記カソード電極がサブマウント部材３０におけるＬＥＤチップ１０側の表面に設けられ上記カソード電極と接続される電極パターン（図示せず）および金属細線（例えば、金細線、アルミニウム細線など）からなるボンディングワイヤ１４を介して一方のリードパターン２３と電気的に接続され、上記アノード電極がボンディングワイヤ１４を介して他方のリードパターン２３と電気的に接続されている。なお、ＬＥＤチップ１０とサブマウント部材３０とは、ＡｕＳｎ、ＳｎＡｇＣｕなどの鉛フリー半田を用いて接合されている。
【００１２】
サブマウント部材３０の材料はＡｌＮに限らず、線膨張率が導電性基板１１の材料である６Ｈ−ＳｉＣに比較的近く且つ熱伝導率が比較的高い材料であればよく、例えば、複合ＳｉＣ、Ｓｉなどを採用してもよい。
【００１３】
上述の封止部５０の透明樹脂材料としては、シリコーン樹脂を用いているが、シリコーン樹脂に限らず、アクリル樹脂などを用いてもよい。
【００１４】
これに対して、枠体４０は、円筒状の形状であって、透明樹脂の成形品により構成されているが、当該成形品に用いる透明樹脂としては、シリコーン樹脂を採用している。要するに、本実施形態では、封止部５０の透明樹脂材料の線膨張率と同等の線膨張率を有する透光性材料により枠体４０を形成してある。ここに、本実施形態では、枠体４０を金属基板２０に固着した後で枠体４０の内側に上記透明樹脂材料を充填（ポッティング）して熱硬化させることで封止部５０を形成している。なお、上記透明樹脂材料としてシリコーン樹脂に代えてアクリル樹脂を用いている場合には、枠体４０をアクリル樹脂の成形品により構成することが望ましい。
【００１５】
レンズ６０は、封止部５０側の光入射面６０ａ並びに光出射面６０ｂが凸曲面状に形成された両凸レンズからなる。ここにおいて、レンズ６０は、シリコーン樹脂の成形品により構成してあり、上記透明樹脂材料と屈折率が同じ値となっているが、シリコーン樹脂の成形品に限らず、例えば、アクリル樹脂の成形品により構成してもよい。
【００１６】
ところで、レンズ６０は、光出射面６０ｂが、光入射面６０ａから入射した光を光出射面６０ｂと上述の空気層８０との境界で全反射させない凸曲面状に形成されている。ここで、レンズ６０は、光出射面６０ｂが球面の一部により形成されており、当該球面の中心がＬＥＤチップ１０の厚み方向に沿った発光部１２の中心線上に位置するように配置されている。したがって、ＬＥＤチップ１０において金属基板２０側とは反対側の表面（本実施形態では、発光部１２の表面）から放射された光が光出射面６０ｂと空気層８０との境界で全反射されることなく色変換部材７０まで到達しやすくなり、全光束を高めることができる。なお、ＬＥＤチップ１０の側面から放射された光は封止部５０および枠体４０および空気層８０を伝搬して色変換部材７０まで到達し色変換部材７０の蛍光体を励起したり蛍光体には衝突せずに色変換部材７０を透過したりする。
【００１７】
色変換部材７０は、シリコーン樹脂のような透明材料とＬＥＤチップ１０から放射された青色光によって励起されてブロードな黄色系の光を放射する粒子状の黄色蛍光体とを混合した混合物の成形品により構成されている。したがって、本実施形態の発光装置は、ＬＥＤチップ１０から放射された青色光と黄色蛍光体から放射された光とが色変換部材７０の外面７０ｂを通して放射されることとなり、白色光を得ることができる。なお、色変換部材７０の材料として用いる透明材料は、シリコーン樹脂に限らず、例えば、アクリル樹脂、エポキシ樹脂、ガラスなどを採用してもよい。また、色変換部材７０の材料として用いる透明材料に混合する黄色蛍光体には、種々の蛍光体のうちで特に発光効率の点で優れているイットリウム・アルミニウム・ガーネット蛍光体（ＹＡＧ）を用いる。
【００１８】
ここで、色変換部材７０は、内面７０ａがレンズ６０の光出射面６０ｂに沿ったドーム形状（つまり、レンズ６０の光出射面６０ｂに対応した上記球面よりも直径が大きな球面の一部からなる形状）に形成されている。したがって、レンズ６０の光出射面６０ｂの位置によらず法線方向における光出射面６０ｂと色変換部材７０の内面７０ａとの間の距離が略一定値となっている。なお、色変換部材７０は、位置によらず法線方向に沿った肉厚が一様となるように成形されている。色変換部材７０は、開口部の周縁を絶縁部材２２に対して、例えば接着剤（例えば、シリコーン樹脂、エポキシ樹脂など）を用いて接着すればよい。
【００１９】
ところで、本実施形態の発光装置を照明器具の光源に用いる場合、金属（例えば、Ａｌ、Ｃｕなどの熱伝導率の高い金属）製の器具本体１００にグリーンシートからなる絶縁層９０を介して実装される。絶縁層９０は、実装基板２０と器具本体１００との両者を電気的に絶縁し且つ熱結合させる機能を有している。但し、絶縁層９０は、グリーンシートのようなシート状に成形したセラミックスの未燒結体に限らず、例えば、熱硬化性の固着材（例えば、エポキシ樹脂など）を用いてもよい。
【００２０】
上述のように本実施形態の発光装置では、ＬＥＤチップ１０の青色光と色変換部材７０で変換された黄色光との混色によって白色光が放射されるから、単一のＬＥＤチップ１０を用いて白色光が放射でき、しかも、黄色蛍光体としてイットリウム・アルミニウム・ガーネット蛍光体（ＹＡＧ）を用いるので、発光効率の向上が図れる。なお、本実施形態では、ＬＥＤチップ１０として、発光色が青色の青色ＬＥＤチップを採用しており、導電性基板１１としてＳｉＣ基板を採用しているが、ＳｉＣ基板の代わりにＧａＮ基板を用いてもよく、ＳｉＣ基板やＧａＮ基板を用いた場合には結晶成長用基板として絶縁体であるサファイア基板を用いている場合に比べて、結晶成長用基板の熱伝導率が高く結晶成長用基板の熱抵抗を小さくできる。
【図面の簡単な説明】
【００２１】
【図１】実施形態を示す断面図である。
【図２】同上の分解斜視図である。
【図３】同上の平面図である。
【符号の説明】
【００２２】
１０  ＬＥＤチップ
２０  実装基板
２１  金属板
２２  絶縁部材
２３  リードパターン
３０  サブマウント部材
４０  枠体
５０  封止部
６０  レンズ
７０  色変換部材
【図１】
2007088085.tif 000003
【図２】
2007088085.tif 000004
【図３】
2007088085.tif 000005